(57)【要約】【課題】切替操作体がＯＮ姿勢となっているのかＯＦＦ姿勢となっているのかを容易に認識でき、切替操作体の操作を適切に行い、検知器本来の機能を適切に発揮すること。【解決手段】電源部と、その電源部からの電力供給により検知対象を検知する検知部と、被取付面に対する取付部１ａとを備えた機器本体１の外面部に、ＯＮ姿勢とＯＦＦ姿勢とに変更自在で、且つ、ＯＮ姿勢で電源部から検知部への電力供給状態をＯＮ状態にし、ＯＦＦ姿勢で電力供給状態をＯＦＦ状態にする切替操作体１４が設けられているとともに、切替操作体１４のＯＦＦ姿勢が、被取付面に対する取付部１ａの取付けを害する姿勢に設定されている。【選択図】図４
2016148954.tif 000002
【特許請求の範囲】
【請求項１】
電源部と、その電源部からの電力供給により検知対象を検知する検知部と、被取付面に対する取付部とを備えた機器本体の外面部に、ＯＮ姿勢とＯＦＦ姿勢とに変更自在で、且つ、ＯＮ姿勢で前記電源部から前記検知部への電力供給状態をＯＮ状態にし、ＯＦＦ姿勢で前記電力供給状態をＯＦＦ状態にする切替操作体が設けられているとともに、前記切替操作体の前記ＯＦＦ姿勢が、前記被取付面に対する前記取付部の取付けを害する姿勢に設定されている検知器。
【請求項２】
前記機器本体には、前記被取付面に対して取付状態で当て付けられる当て付け面が備えられているとともに、前記切替操作体の前記ＯＦＦ姿勢が、前記切替操作体の少なくとも一部が前記当て付け面よりも外方の空間に突出位置する姿勢に設定されている請求項１に記載の検知器。
【請求項３】
前記切替操作体が、前記当て付け面に交差姿勢で連なる前記機器本体の側面部に設けられている請求項２に記載の検知器。
【発明の詳細な説明】
【技術分野】
【０００１】
本発明は、電源部からの電力供給により検知対象を検知する検知部を備えた検知器に関する。
【背景技術】
【０００２】
上記検知器は、例えば、火災により発生する煙や温度上昇、不完全燃焼により発生するＣＯガス、都市ガス等のガス漏れにより発生する漏洩ガス等を検知対象とし、その検知対象の状況に応じた警報を行う警報器として用いられている。この検知器では、例えば、電源部として電池が備えられ、その電池から検知部への電力供給状態をＯＮ状態とＯＦＦ状態とに切り替えるための切替操作体（電源スイッチ）が備えられている（例えば、特許文献１参照。）。
【０００３】
そして、切替操作体をＯＮ姿勢とすることで、電池から検知部への電力供給状態をＯＮ状態とし、検知部にて検知対象を検知する検知動作を行い、切替操作体をＯＦＦ姿勢とすることで、電池から検知部への電力供給状態をＯＦＦ状態として、検知動作を停止している。
【先行技術文献】
【特許文献】
【０００４】
【特許文献１】特開２００８−２８７３８２号公報
【発明の概要】
【発明が解決しようとする課題】
【０００５】
上記検知器では、検知部による検知動作を行うためには、切替操作体をＯＮ姿勢とすることが必要となる。しかしながら、切替操作体がＯＮ姿勢となっているのかＯＦＦ姿勢となっているのかが見分け難いと、切替操作体をＯＮ姿勢に姿勢変更することを忘れる等の操作忘れや操作間違いが生じ易い。
【０００６】
特に、上記検知器では、出荷時等の使用前に、切替操作体をＯＦＦ姿勢とし、電源部から検知部への電力供給状態をＯＦＦ状態としておくことで、電源部（電池）の消耗を抑制している。よって、検知器を使用する際に、切替操作体をＯＦＦ姿勢からＯＮ姿勢に切り替える必要がある。このとき、切替操作体の操作忘れや操作間違いが生じると、検知部による検知動作が行われない状態のままとなり、検知対象を検知するという検知器本来の機能を適切に発揮できなくなる。
【０００７】
この実情に鑑み、本発明の主たる課題は、切替操作体がＯＮ姿勢となっているのかＯＦＦ姿勢となっているのかを容易に認識でき、切替操作体の操作を適切に行い、機器本来の機能を適切に発揮できる検知器を提供する点にある。
【課題を解決するための手段】
【０００８】
本発明の第１特徴構成は、電源部と、その電源部からの電力供給により検知対象を検知する検知部と、被取付面に対する取付部とを備えた機器本体の外面部に、ＯＮ姿勢とＯＦＦ姿勢とに変更自在で、且つ、ＯＮ姿勢で前記電源部から前記検知部への電力供給状態をＯＮ状態にし、ＯＦＦ姿勢で前記電力供給状態をＯＦＦ状態にする切替操作体が設けられているとともに、前記切替操作体の前記ＯＦＦ姿勢が、前記被取付面に対する前記取付部の取付けを害する姿勢に設定されている点にある。
【０００９】
本特徴構成によれば、切替操作体がＯＦＦ姿勢のときに、被取付面に対する取付部の取付けが害されるので、例えば、被取付面に対して取付部を取付け難い状況となる。このような状況を現出させることで、使用者等に対して違和感を与えることができ、被取付面に機器本体を取付ける際に、切替操作体がＯＦＦ姿勢であれば、使用者等が切替操作体をＯＮ姿勢に姿勢変更する操作を促すことができ、切替操作体の操作忘れや操作間違いを防止して、本来の機能を発揮できる状態で機器本体を被取付面に取付けることができる。
【００１０】
本発明の第２特徴構成は、前記機器本体には、前記被取付面に対して取付状態で当て付けられる当て付け面が備えられているとともに、前記切替操作体の前記ＯＦＦ姿勢が、前記切替操作体の少なくとも一部が前記当て付け面よりも外方の空間に突出位置する姿勢に設定されている点にある。
【００１１】
本特徴構成によれば、切替操作体がＯＦＦ姿勢であると、切替操作体の少なくとも一部が当て付け面よりも外方の空間に突出位置しているので、その突出位置している部分が邪魔になり、機器本体の当て付け面を被取付面に対して当て付けることができない。これにより、被取付面に対して当て付け面を当て付けるという本来の姿勢にて機器本体を取付けられないので、使用者等に対して、切替操作体のＯＮ姿勢への姿勢変更の操作を行うことをはっきりと促すことができる。よって、切替操作体の操作忘れや操作間違いを適切に防止して、機器本体がその機能を発揮できる本来の姿勢で被取付面に取付けることができる。
【００１２】
本発明の第３特徴構成は、前記切替操作体が、前記当て付け面に交差姿勢で連なる前記機器本体の側面部に設けられている点にある。
【００１３】
本特徴構成によれば、切替操作体が、当て付け面ではなく、機器本体の側面部に設けられており、その側面部は、当て付け面に交差姿勢で連なっている。これにより、被取付面に対して当て付け面を当て付ける際に、使用者等が、切替操作体に気付き易く、切替操作体がＯＦＦ姿勢となっているか否かを容易に確認でき、操作忘れや操作間違いを適切に防止できる。また、目立ち易い機器本体の前面部ではなく、機器本体の側面部に切替操作体を設けることで、検知器の使用中に、切替操作体が目立ち難く、切替操作体が誤って操作されるのを防止できる。
【図面の簡単な説明】
【００１４】
【図１】検知器の全体斜視図
【図２】検知器の分解斜視図
【図３】切替操作体がＯＮ姿勢のときの機器本体を示す斜視図
【図４】切替操作体がＯＦＦ姿勢のときの機器本体を示す斜視図
【図５】機器本体に対する切替操作体の姿勢変更を示す図
【発明を実施するための形態】
【００１５】
本発明に係る検知器の実施形態を図面に基づいて説明する。
この検知器は、図１及び図２に示すように、電源部２と、その電源部２からの電力供給により検知対象を検知する検知部３とを備えた機器本体１から構成されている。機器本体１は、後面部１ａと上下方向及び左右方向の四方の側面部を有し前方側を開放したケース７と、そのケース７の前方側を閉塞するカバー８とを備えており、その内部を中空空間とする直方体状に形成されている。電源部２及び検知部３は、機器本体１における内部の中空空間を収納箇所として、ケース７に内蔵されている。
【００１６】
機器本体１は、被取付面に対する取付部を機器本体１（ケース７）の後面部１ａとし、且つ、被取付面を室内の壁面２１として、室内の壁面２１に取付けられている。機器本体１の後面部１ａ（図３及び図４参照）が平らな面状の当て付け面となっており、平坦な壁面２１に平坦な機器本体１の後面部１ａを当て付け、機器本体１の姿勢が安定した姿勢で、室内の壁面２１に機器本体１が取付けられている。機器本体１は、その上部に壁掛け用の取付孔４が備えられた係止部５が突出する状態で備えられ、ビス等の固定具６を用いて取り付けられている。
【００１７】
図２に示すように、電源部２として電池（図示省略）が用いられており、電源部２としての電池収納箇所に電池が内蔵される。この実施形態では、機器本体１（ケース７）の左上部に電池が内蔵される。機器本体１（ケース）の側面部には、電源部２に電池を装着するための電池交換口２２が備えられ、その電池交換口２２を閉塞する蓋部２３が備えられている。蓋部２３には、機器本体１の内部に形成された被係合部に係合する鉤状の係合部２３ａが形成され、その後端部に溝状の引っ掛け部２３ｂ（図３及び図４参照）が形成されている。所望の装着位置に蓋部２３を嵌め込むことで、係合部２３ａが被係合部に係合されて機器本体１に蓋部２３を装着できる。機器本体１に装着された蓋部２３に対して、引っ掛け部２３ｂに指を引っ掛けて機器本体１の外方側に蓋部２３を移動させることで、係合部２３ａと被係合部との係合が解除されて、蓋部２３を取り外すことができる。
【００１８】
検知部３は、例えば、火災により発生する煙や温度上昇、不完全燃焼により発生するＣＯガス、都市ガス等のガス漏れにより発生する漏洩ガス等を検知対象としており、このような検知対象を検知できるものであれば、各種の検知部を適用でき、その検知部３の数も適宜変更できる。この実施形態では、検知部３として、例えば、煙を検知する第１検知部３ａとＣＯガスを検知する第２検知部３ｂの２つの検知部が備えられている。
【００１９】
検知部３は、機器本体１の外部から機器本体１の内部に流入させる空気から検知対象を検知しており、機器本体１の外面部には、その空気を機器本体１の内部に流入させる流入口９が備えられている。流入口９は、ケース７の後面部１ａを除く外面部（上下方向及び左右方向の四方の側面部の全て）に開口形成されており、機器本体１の側面部の全周に亘って空気を流入させている。流入口９は、横長の開口を機器本体１の周方向に複数並べた開口列を機器本体１の前後方向に複数並べて構成されている。この実施形態では、上側面部、右側面部及び下側面部に機器本体１の前後方向に並ぶ３列の開口列が配置され、左側面部に機器本体１の前後方向に並ぶ２列の開口列が配置されている。ちなみに、機器本体１の側面部には、流入口９よりも機器本体１の前方側等に、機器本体１の内方側に凹入させた横長の凹部２４が形成されている。
【００２０】
機器本体１には、図２に示すように、電源部２及び検知部３に加えて、検知部３の検知動作やその検知状況に応じた警報動作の制御、電源部２から検知部３への電力供給状態の切替制御等、各種の制御を行うための制御回路を有する基板１０と、音声等の警報や報知を行うスピーカ部１１と、電源のＯＮ／ＯＦＦや警報等の各種の表示を行う表示部１２（例えば、４つの表示部）と、スピーカ部１１や表示部１２による警報動作を停止させるための操作部１３とが備えられている。
【００２１】
機器本体１の側面部には、図２〜図４に示すように、ＯＮ姿勢とＯＦＦ姿勢とに姿勢変更自在な切替操作体１４が備えられ、機器本体１の内部には、図５に示すように、切替操作体１４の姿勢変更によって移動操作されて、電源部２から検知部３への電力供給状態をＯＮ状態とＯＦＦ状態に切り替える電力切替部１９が備えられている。
【００２２】
電力切替部１９は、図５に示すように、ＯＮ位置（図５において下方側の位置）とＯＦＦ位置（図５において上方側の位置）とに移動自在であり、ＯＮ位置にて電源部２から検知部３への電力供給状態をＯＮ状態とし、ＯＦＦ位置にて電源部２から検知部３への電力供給状態をＯＦＦ状態としている。切替操作体１４は、図３及び図４に示すように、機器本体１に対して着脱自在であり、且つ、機器本体１に対する装着姿勢がＯＮ姿勢とＯＦＦ姿勢とに変更自在に構成されている。切替操作体１４のＯＮ姿勢とＯＦＦ姿勢は、切替操作体１４を前後反転させて機器本体１に装着させた姿勢であり、図３に示すように、ＯＮ姿勢では切替操作体１４の前面側が機器本体１の前面側となる姿勢で装着され、図４に示すように、ＯＦＦ姿勢では切替操作体１４の後面側が機器本体１の前面側となる姿勢で装着されている。
【００２３】
図５に示すように、切替操作体１４をＯＮ姿勢とすることで、電力切替部１９をＯＮ位置に移動操作して、電源部２から検知部３への電力供給状態をＯＮ状態とし、検知部３での検知動作を行う。逆に、切替操作体１４をＯＦＦ姿勢とすることで、電力切替部１９をＯＦＦ位置に移動操作して、電源部２から検知部３への電力供給状態がＯＦＦ状態とし、検知部３での検知動作が停止される。図５では、電力切替部１９がＯＦＦ位置からＯＮ位置に移動操作される状態を左側に示し、電力切替部１９がＯＮ位置からＯＦＦ位置に移動操作される状態を右側に示している。
【００２４】
切替操作体１４は、機器本体１（ケース７）の後面部１ａに交差姿勢で連なる機器本体１（ケース７）の側面部（例えば、左側面部）に配置されている。切替操作体１４は、図３〜図５に示すように、機器本体１に装着された状態において、機器本体１の内部に挿入される挿入部１６と、機器本体１の前後方向に延びる姿勢で機器本体１の側面部に当接する当接壁部１７と、当接壁部１７から機器本体１の外方側に延びる摘み部１８とが備えられている。挿入部１６及び摘み部１８が機器本体１の上下方向に幅広で機器本体１の左右方向に延びる板状に形成され、挿入部１６及び摘み部１８と当接壁部１７とが交差する姿勢となっている。
【００２５】
機器本体１の側面部（例えば、左側面部）には、図２に示すように、切替操作体１４を装着する装着部１５が形成されている。装着部１５は、その周囲よりも機器本体１の内方側に凹入した凹状に形成され、切替操作体１４の挿入部１６が挿入される孔部を有している。装着部１５に切替操作体１４を嵌め込むことで、機器本体１に切替操作体１４を装着でき、装着部１５に装着された切替操作体１４を引っ張り出すことで、機器本体１から切替操作体１４を取り外すことができる。
【００２６】
図５に示すように、切替操作体１４における挿入部１６には、その横幅方向の中央部に鉤状の係合部１６ａが形成されている。挿入部１６が機器本体１の内部に挿入された状態で、係合部１６ａが機器本体１の内部に形成された被係合部（図示省略）に係合し、機器本体１に対する切替操作体１４の装着姿勢がＯＮ姿勢又はＯＦＦ姿勢に姿勢保持されている。係合部１６ａは、挿入部１６の横幅方向で中央部に配置されているので、切替操作体１４をＯＮ姿勢又はＯＦＦ姿勢に装着したときに、ガタツキが挿入部１６の横幅方向で均等になるようにしている。
【００２７】
挿入部１６には、電力切替部１９をＯＮ位置とＯＦＦ位置とに移動させる移動作用部１６ｂが備えられている。移動作用部１６ｂは、間隔を隔てて対向する一対の壁部１６ｃ，１６ｄを有する切欠溝部にて構成され、一対の壁部１６ｃ，１６ｄのうち、一方側の壁部１６ｃが機器本体１の外方側ほど対向する壁部１６ｄとの間隔を幅狭とする傾斜壁部にて形成されている。切替操作体１４の挿入部１６を機器本体１の内方側に移動させるに伴って、電力切替部１９が傾斜壁部１６ｃにて押圧案内されてＯＮ位置からＯＦＦ位置に（図５中右側参照）又はＯＦＦ位置からＯＮ位置（図５中左側参照）に移動する。
【００２８】
挿入部１６には、一対の壁部１６ｃ，１６ｄの間の中空部に連続して、傾斜壁部１６ｃの後方側（対向する壁部１６ｄとは離れる側）に延びる中空連続部１６ｅが形成されている。これにより、切替操作体１４をＯＮ姿勢又はＯＦＦ姿勢で装着する際に、電力切替部１９の寸法公差に対応して傾斜壁部１６ｃが撓み変形し、傾斜壁部１６ｃにて電力切替部１９を適切に押圧案内できる。
【００２９】
切替操作体１４における摘み部１８は、図３及び図４に示すように、当接壁部１７における上下方向の中央部から機器本体１の外方側に延びるように形成されている。そして、摘み部１８は、その外方側端部がＯＮ姿勢の状態では前方側（ＯＦＦ姿勢の状態では後方側）に折り曲げられており、この折曲部に指を引っ掛けたり、指で折曲部を押し込むことができ、機器本体１からの切替操作体１４の引っ張り出し、及び、機器本体１への切替操作体１４の嵌め込みを行い易くしている。
【００３０】
このような検知器では、出荷時等の使用前に、切替操作体１４をＯＦＦ姿勢とし、電源部２から検知部３への電力供給状態をＯＦＦ状態としておくことで、電源部２（電池）の消耗を抑制している。そして、検知器を使用する際に、切替操作体１４をＯＮ姿勢に切り替えることで、電源部２から検知部３への電力供給状態をＯＮ状態に切り替え、検知部３による検知動作を開始して監視モードが実行される。監視モードでは、流入口９から流入される空気中における煙やＣＯガス等の検知対象の存在状況を検知部３にて検知する検知動作が行われ、その検知対象の存在状況に応じてスピーカ部１１や表示部１２等にて警報を行い、操作部１３を操作することで、その警報が解除される。
【００３１】
この監視モードを適切に実行するためには、切替操作体１４をＯＮ姿勢とすることが必要となる。そこで、切替操作体１４の操作忘れや操作間違いを防止するために、図４に示すように、切替操作体１４のＯＦＦ姿勢が、室内の壁面２１（被取付面）に対する機器本体１（ケース７）の後面部１ａ（取付部）の取付けを害する姿勢に設定されている。つまり、切替操作体１４のＯＦＦ姿勢は、切替操作体１４の少なくとも一部が機器本体１（ケース７）の後面部１ａ（当て付け面）よりも後方側に突出位置する姿勢に設定されている。
【００３２】
切替操作体１４がＯＦＦ姿勢であるときに、切替操作体１４の少なくとも一部が機器本体１（ケース７）の後面部１ａ（当て付け面）よりも後方側に突出位置するので、切替操作体１４自体が、室内の壁面２１（被取付面）に対する機器本体１（ケース７）の後面部１ａ（取付部）の取付けを害する阻害部材として構成されている。切替操作体１４がＯＦＦ姿勢のままでは、機器本体１の後面部１ａよりも後方側に突出位置する切替操作体１４が邪魔になり、室内の壁面２１に機器本体１の後面部１ａを適切に当て付けることができず、機器本体１を本来の安定した姿勢で壁面２１に取付けることができない。よって、切替操作体１４のＯＮ姿勢への姿勢変更を使用者等に促すことができ、切替操作体１４の操作忘れや操作間違いを防止して、監視モードを適切に実行できる状態で機器本体１を壁面２１に取付けることができる。
【００３３】
切替操作体１４のＯＮ姿勢とＯＦＦ姿勢の姿勢変更は、図２〜図４に示すように、切替操作体１４を前後反転させて装着部１５に切替操作体１４を嵌め込む操作が行われる。そこで、切替操作体１４は、挿入部１６を基準とする当接壁部１７の長さを異ならせることで、図４に示すように、ＯＦＦ姿勢では当接壁部１７の一部が機器本体１の後面部１ａよりも後方側に突出位置し、図３に示すように、ＯＮ姿勢では当接壁部１７が機器本体１の後面部１ａまで届かず、機器本体１の後面部１ａよりも前方側に当接壁部１７が位置している。つまり、当接壁部１７として、挿入部１６に対して交差姿勢で前方側に延びる第１当接壁部１７ａと、挿入部１６に対して交差姿勢で後方側に延びる第２当接壁部１７ｂとが備えられ、第１当接壁部１７ａが第２当接壁部１７ｂよりも機器本体１の前後方向での長さが長くなるように構成されている。
【００３４】
図４に示すように、ＯＦＦ姿勢では、長さの長い第１当接壁部１７ａが機器本体１の後方側に延びる姿勢となり、その第１当接壁部１７ａの一部が機器本体１の後面部１ａよりも後方側に突出位置している。逆に、図３に示すように、ＯＮ姿勢では、長さの短い第２当接壁部１７ｂが機器本体１の後方側に延びる姿勢となり、その第２当接壁部１７ｂでは機器本体１の後面部１ａまで届かない。このように、第１当接壁部１７ａと第２当接壁部１７ｂとの長さを変えるという簡易な構成によって、切替操作体１４を阻害部材として構成することができ、構成の簡素化を図りながら、監視モードを適切に実行できる状態で機器本体１を壁面２１に取付けることができる。
【００３５】
また、切替操作体１４がＯＦＦ姿勢のときには、図４に示すように、流入口９の一部を覆う状態で切替操作体１４の一部が機器本体１の後面部１ａよりも後方側に突出位置している。そして、図３に示すように、切替操作体１４がＯＮ姿勢のときには、第２当接壁部１７ｂが流入口９まで届かず、流入口９を覆っていない。これにより、使用者等は、切替操作体１４によって流入口９が覆われているか否かを確認することで、切替操作体１４がＯＦＦ姿勢であることを容易に認識できる。よって、この点からも、切替操作体１４の操作忘れや操作間違いを防止して、切替操作体１４をＯＮ姿勢に姿勢変更することを使用者等に促すことができ、監視モードを適切に実行できる。
【００３６】
機器本体１の側面部（例えば、左側面部）には、図４に示すように、装着部１５の前方側にＯＦＦ状態を示す印２０（ＯＦＦの文字）が付され、切替操作体１４がＯＦＦ姿勢のときには、この印２０が外部に露出している。また、図３に示すように、切替操作体１４がＯＮ姿勢のときには、この印２０が当接壁部１７にて覆われて隠されている。このように、切替操作体１４がＯＦＦ姿勢のときのみ、印２０が外部から露出しており、切替操作体１４がＯＦＦ姿勢であることを使用者等が容易に認識できる。しかも、切替操作体１４における当接壁部１７の長さを異ならせることで、ＯＦＦ姿勢のときのみ外部に露出する部位に印２０を付しているので、この印２０を隠すための別部材を設ける必要もなく、部品点数の増大等の不都合を招くこともない。
【００３７】
〔別実施形態〕
（１）上記実施形態では、切替操作体１４のＯＦＦ姿勢が切替操作体１４の少なくとも一部が機器本体１（ケース７）の後面部１ａ（当て付け面）よりも後方側に突出位置する姿勢に設定されているが、切替操作体１４のＯＦＦ姿勢としては、例えば、機器本体１の上部に設けられた係止部５の取付孔４を塞ぐ姿勢等、室内の壁面２１（被取付面）に対する機器本体１（ケース７）の後面部１ａ（取付部）の取付けを害する姿勢に設定することもできる。
【００３８】
（２）上記実施形態では、切替操作体１４がＯＦＦ姿勢のときに、切替操作体１４自体が機器本体１（ケース７）の後面部１ａ（当て付け面）よりも後方側に突出位置するようにしているが、切替操作体１４とは別の突出部材を機器本体１（ケース７）の後面部１ａ（当て付け面）よりも後方側に突出位置させて、室内の壁面２１（被取付面）に対する機器本体１（ケース７）の後面部１ａ（取付部）の取付けを害することもできる。例えば、切替操作体１４がＯＮ姿勢のときには突出部材が機器本体１の内方側に引退移動し、切替操作体１４がＯＦＦ姿勢のときには突出部材が機器本体１の外方側に突出移動することで、機器本体１（ケース７）の後面部１ａ（当て付け面）よりも後方側に突出位置することができる。
【００３９】
そして、上記（１）にて述べた如く、切替操作体１４のＯＦＦ姿勢を、室内の壁面２１（被取付面）に対する機器本体１（ケース７）の後面部１ａ（取付部）の取付けを害する姿勢とする場合でも、上述の如く、切替操作体１４とは別の部材によって、室内の壁面２１（被取付面）に対する機器本体１（ケース７）の後面部１ａ（取付部）の取付けを害することができる。
【００４０】
（３）上記実施形態において、切替操作体１４を機器本体１に対して着脱自在に備えなくてもよい。例えば、切替操作体１４を、ロック位置とロック解除位置とに回転操作自在とし、ロック解除位置に回転操作した状態で機器本体１の内方側の第１位置と外方側の第２位置とに移動自在とすることもできる。この場合、第１位置においてロック位置に回転操作されるとＯＮ姿勢となり、第２位置においてロック位置に回転操作されるとＯＦＦ姿勢となる。
【００４１】
また、切替操作体１４を機器本体１に対して着脱自在にしない別の例としては、切替操作体１４を機器本体１の外方に少し引っ張り出した位置で、ＯＮ姿勢とＯＦＦ姿勢に回転操作自在とし、いずれかの姿勢を選択して、切替操作体１４を機器本体１の内方に向けて押し込むことで、ＯＮ姿勢とＯＦＦ姿勢とを切り替えるようにしてもよい。
【００４２】
（４）上記実施形態において、切替操作体１４の配設位置については、左側面側としているが、右側面側、上側面側、又は、下側面側のいずれでもよい。そして、機器本体１の形状も直方体状に限るものではなく、各種の形状に適宜変更できることから、その変更された機器本体１の形状に合わせて切替操作体１４の配設位置も変更することができる。
【００４３】
（５）上記実施形態において、被取付面に対する機器本体１の取付部は、後面部に限らず、その他の部位を取付部とすることもできる。そして、取付部も被取付面に対する当て付け面としなくてもよく、各種の形状の取付部を適用可能である。また、被取付面についても、室内の壁面２１に限らず、例えば、天井面とする等、各種の被取付面が適用可能である。
【００４４】
（６）上記実施形態において、例えば、当接壁部１７として第１当接壁部１７ａのみを備えたＴ字状に切替操作体１４を形成する等、切替操作体１４の形状は適宜変更することができる。また、ＯＦＦ姿勢における当接壁部１７の姿勢については、当接壁部１７を被取付面に対して直角に交差する姿勢とするものに限らず、当接壁部１７を被取付面に対して所定の角度を有して交差する傾斜姿勢としてもよく、室内の壁面２１等の被取付面への機器本体１の取付けを害するものであればよい。
【００４５】
（７）上記実施形態では、装着部１５の前方側にＯＦＦ状態を示す印２０（ＯＦＦの文字）が付されているが、印としては、ＯＦＦ状態であることが分かるものであればよく、例えばＯＦＦを示す記号や色を塗布する等してもよい。
【００４６】
（８）上記実施形態では、電源部２として電池を例示しているが、ＡＣ電源等の外部電源を用いる検知器にも適用可能である。
【符号の説明】
【００４７】
１          機器本体
１ａ        取付部（機器本体の後面部）
２          電源部（電池）
３          検知部
１４        切替操作体
２１        被取付面（室内の壁面）
【図１】
2016148954.tif 000003
【図２】
2016148954.tif 000004
【図３】
2016148954.tif 000005
【図４】
2016148954.tif 000006
【図５】
2016148954.tif 000007